(57)【要約】【課題】文書ファイルの種類に依存せず、ユーザ所望の画像サイズで印刷可能なプリンタシステム、プリンタ装置およびプリンタ装置用プログラムを提供する。【解決手段】文書ファイルを表示部に表示した際の実効表示倍率に関する情報と前記文書ファイルとをプリンタ装置に送信するホスト１００と、前記実効表示倍率に関する情報に基づいて文書ファイルの画像サイズに対する拡大率を決定し、該拡大率で文書ファイルの画像を描画し印刷するプリンタ装置１０、１６０と、を有する。【選択図】図１
2011022859.tif 000002
【特許請求の範囲】
【請求項１】
文書ファイルを表示部に表示した際の実効表示倍率に関する情報と前記文書ファイルとをプリンタ装置に送信するホストと、
前記実効表示倍率に関する情報に基づいて前記文書ファイルの画像サイズに対する拡大率を決定し、前記拡大率で前記文書ファイルの画像を描画し印刷するプリンタ装置と、
を有することを特徴とするプリンタシステム。
【請求項２】
前記実効表示倍率に関する情報は、前記文書ファイルの画像を表示する前記ホストの表示部に関する情報と、前記表示部に表示した前記画像の表示倍率の情報と、を含むことを特徴とする請求項１に記載のプリンタシステム。
【請求項３】
前記表示部に関する情報は、前記表示部のサイズを含み、
前記画像の表示倍率の情報は、前記画像全体を前記表示部に表示させた第１状態から、前記画像を所望の大きさで前記表示部に表示させた第２状態にするための相対拡大率を含み、
前記プリンタ装置は、前記表示部のサイズと前記画像サイズとから前記第１状態における前記画像サイズに対する第１表示倍率を計算し、前記第１表示倍率に前記相対拡大率を乗じることで前記画像サイズに対する第２表示倍率を計算し、前記第２表示倍率を前記拡大率として決定することを特徴とする請求項２に記載のプリンタシステム。
【請求項４】
ホストから受信した文書ファイルと当該文書ファイルを前記ホストの表示部に表示した際の実効表示倍率に関する情報とを解析する解析手段と、
前記解析手段が解析した前記実効表示倍率に関する情報に基づいて前記文書ファイルの画像サイズに対する拡大率を決定する拡大率決定手段と、
前記拡大率決定手段が決定した前記拡大率で前記文書ファイルの画像を描画する描画手段と、
前記描画手段が描画した前記画像を印刷する印刷手段と、
を有することを特徴とするプリンタ装置。
【請求項５】
前記実効表示倍率に関する情報は、前記文書ファイルの画像を表示する前記ホストの表示部に関する情報と、前記表示部に表示した前記画像の表示倍率の情報と、を含むことを特徴とする請求項４に記載のプリンタ装置。
【請求項６】
前記表示部に関する情報は、前記表示部のサイズを含み、
前記画像の表示倍率の情報は、前記画像全体を前記表示部に表示させた第１状態から、前記画像を所望の大きさで前記表示部に表示させた第２状態にするための相対拡大率を含み、
前記拡大率決定手段は、前記表示部のサイズと前記画像サイズとから前記第１状態における前記画像サイズに対する第１表示倍率を計算し、前記第１表示倍率に前記相対拡大率を乗じることで前記画像サイズに対する第２表示倍率を計算し、前記第２表示倍率を前記拡大率として決定することを特徴とする請求項５に記載のプリンタ装置。
【請求項７】
ホストから受信した文書ファイルと当該文書ファイルを前記ホストの表示部に表示した際の実効表示倍率に関する情報とを解析する手順（ａ）と、
前記手順（ａ）で解析した前記実効表示倍率に関する情報に基づいて前記文書ファイルの画像サイズに対する拡大率を決定する手順（ｂ）と、
前記手順（ｂ）で決定した前記拡大率で前記文書ファイルの画像を描画する手順（ｃ）と、
前記手順（ｃ）で描画した前記画像を印刷する手順（ｄ）と、
をプリンタ装置に実行させることを特徴とするプリンタ装置用プログラム。
【請求項８】
前記実効表示倍率に関する情報は、前記文書ファイルの画像を表示する前記ホストの表示部に関する情報と、前記表示部に表示した前記画像の表示倍率の情報と、を含むことを特徴とする請求項７に記載のプリンタ装置用プログラム。
【請求項９】
前記表示部に関する情報は、前記表示部のサイズを含み、
前記画像の表示倍率の情報は、前記画像全体を前記表示部に表示させた第１状態から、前記画像を所望の大きさで前記表示部に表示させた第２状態にするための相対拡大率を含み、
前記手順（ｂ）は、前記表示部のサイズと前記画像サイズとから前記第１状態における前記画像サイズに対する第１表示倍率を計算し、前記第１表示倍率に前記相対拡大率を乗じることで前記画像サイズに対する第２表示倍率を計算し、前記第２表示倍率を前記拡大率として決定することを特徴とする請求項８に記載のプリンタ装置用プログラム。
【請求項１０】
請求項７〜９のいずれか１つに記載されたプログラムを記録したコンピュータ読み取り可能な記録媒体。
【発明の詳細な説明】
【技術分野】
【０００１】
本発明は、プリンタシステム、プリンタ装置およびプリンタ装置用プログラムに関する。
【背景技術】
【０００２】
近年、携帯電話、ＰＤＡなどの普及により、ホストであるモバイル機器から直接プリンタ装置に送信し印刷するモバイルプリンティング機能が注目されている。現在、モバイルプリンティング機能は、文書ファイル（例えば、ＪＰＥＧ（ｊｏｉｎｔ  ｐｈｏｔｏｇｒａｐｈｉｃ  ｅｘｐｅｒｔｓ  ｇｒｏｕｐ）、ＴＩＦＦ（ｔａｇｇｅｄ  ｉｍａｇｅ  ｆｉｌｅ  ｆｏｒｍａｔ））を、プリンタドライバを使用せずに、直接プリンタ装置に送信し印刷する方式が主流である。
【０００３】
しかし、従来の方式では、プリンタ装置は、文書ファイル自体に含まれる情報（例えば、画像サイズ）に基づいて印刷するため、適切な印刷結果とはならない場合（例えば、印刷された画像が小さ過ぎる場合）がある。
【０００４】
このような不具合を改善した先行技術としては下記先行文献がある。下記先行文献には、文書ファイルがＸＨＴＭＬ（Ｅｘｔｅｎｓｉｂｌｅ  ＨｙｐｅｒＴｅｘｔ  Ｍａｒｋｕｐ  Ｌａｎｇｕａｇｅ）データの場合に、ＸＨＴＭＬデータに携帯電話の表示解像度の情報を付加してプリンタ装置に送信し、あらかじめ記憶させた拡大率テーブルと、表示解像度および印刷用紙サイズとを対比することで拡大率を決定する。そして、ＸＨＴＭＬデータ中のサイズ指定コマンドを該拡大率で更新することで該拡大率で画像を印刷する技術が開示されている。
【先行技術文献】
【特許文献】
【０００５】
【特許文献１】特開２００７−４８１３３号公報
【発明の概要】
【発明が解決しようとする課題】
【０００６】
しかし、上記従来技術は、ＸＨＴＭＬデータ以外の文書データに対応できず、また、プリンタ装置側にＸＨＴＭＬ解析処理が必要となることから装置への負担が大きくなるという問題がある。さらに、画像サイズを考慮せずに、表示解像度および印刷用紙サイズに対応して定まる固定的な拡大率で画像を印刷するため、印刷用紙サイズに画像を収めることはできるが、ユーザ所望の印刷結果とならない場合（例えば、印刷された画像中の文字が小さくて読めない場合）がある。
【０００７】
そこで、本発明は、文書ファイルの種類に依存せず、ユーザ所望の画像サイズで印刷可能とすることを目的とする。
【課題を解決するための手段】
【０００８】
本発明の上記課題は、以下の手段によって解決される。
【０００９】
（１）文書ファイルを表示部に表示した際の実効表示倍率に関する情報と前記文書ファイルとをプリンタ装置に送信するホストと、前記実効表示倍率に関する情報に基づいて前記文書ファイルの画像サイズに対する拡大率を決定し、前記拡大率で前記文書ファイルの画像を描画し印刷するプリンタ装置と、を有することを特徴とするプリンタシステム。
【００１０】
（２）前記実効表示倍率に関する情報は、前記文書ファイルの画像を表示する前記ホストの表示部に関する情報と、前記表示部に表示した前記画像の表示倍率の情報と、を含むことを特徴とする上記（１）に記載のプリンタシステム。
【００１１】
（３）前記表示部に関する情報は、前記表示部のサイズを含み、前記画像の表示倍率の情報は、前記画像全体を前記表示部に表示させた第１状態から、前記画像を所望の大きさで前記表示部に表示させた第２状態にするための相対拡大率を含み、前記プリンタ装置は、前記表示部のサイズと前記画像サイズとから前記第１状態における前記画像サイズに対する第１表示倍率を計算し、前記第１表示倍率に前記相対拡大率を乗じることで前記画像サイズに対する第２表示倍率を計算し、前記第２表示倍率を前記拡大率として決定することを特徴とする上記（２）に記載のプリンタシステム。
【００１２】
（４）ホストから受信した文書ファイルと当該文書ファイルを前記ホストの表示部に表示した際の実効表示倍率に関する情報とを解析する解析手段と、前記解析手段が解析した前記実効表示倍率に関する情報に基づいて前記文書ファイルの画像サイズに対する拡大率を決定する拡大率決定手段と、前記拡大率決定手段が決定した前記拡大率で前記文書ファイルの画像を描画する描画手段と、前記描画手段が描画した前記画像を印刷する印刷手段と、を有することを特徴とするプリンタ装置。
【００１３】
（５）前記実効表示倍率に関する情報は、前記文書ファイルの画像を表示する前記ホストの表示部に関する情報と、前記表示部に表示した前記画像の表示倍率の情報と、を含むことを特徴とする上記（４）に記載のプリンタ装置。
【００１４】
（６）前記表示部に関する情報は、前記表示部のサイズを含み、前記画像の表示倍率の情報は、前記画像全体を前記表示部に表示させた第１状態から、前記画像を所望の大きさで前記表示部に表示させた第２状態にするための相対拡大率を含み、前記拡大率決定手段は、前記表示部のサイズと前記画像サイズとから前記第１状態における前記画像サイズに対する第１表示倍率を計算し、前記第１表示倍率に前記相対拡大率を乗じることで前記画像サイズに対する第２表示倍率を計算し、前記第２表示倍率を前記拡大率として決定することを特徴とする上記（５）に記載のプリンタ装置。
【００１５】
（７）ホストから受信した文書ファイルと当該文書ファイルを前記ホストの表示部に表示した際の実効表示倍率に関する情報とを解析する手順（ａ）と、前記手順（ａ）で解析した前記実効表示倍率に関する情報に基づいて前記文書ファイルの画像サイズに対する拡大率を決定する手順（ｂ）と、前記手順（ｂ）で決定した前記拡大率で前記文書ファイルの画像を描画する手順（ｃ）と、前記手順（ｃ）で描画した前記画像を印刷する手順（ｄ）と、をプリンタ装置に実行させることを特徴とするプリンタ装置用プログラム。
【００１６】
（８）前記実効表示倍率に関する情報は、前記文書ファイルの画像を表示する前記ホストの表示部に関する情報と、前記表示部に表示した前記画像の表示倍率の情報と、を含むことを特徴とする上記（７）に記載のプリンタ装置用プログラム。
【００１７】
（９）前記表示部に関する情報は、前記表示部のサイズを含み、前記画像の表示倍率の情報は、前記画像全体を前記表示部に表示させた第１状態から、前記画像を所望の大きさで前記表示部に表示させた第２状態にするための相対拡大率を含み、前記手順（ｂ）は、前記表示部のサイズと前記画像サイズとから前記第１状態における前記画像サイズに対する第１表示倍率を計算し、前記第１表示倍率に前記相対拡大率を乗じることで前記画像サイズに対する第２表示倍率を計算し、前記第２表示倍率を前記拡大率として決定することを特徴とする上記（８）に記載のプリンタ装置用プログラム。
【００１８】
（１０）上記（７）〜（９）のいずれか１つに記載されたプログラムを記録したコンピュータ読み取り可能な記録媒体。
【発明の効果】
【００１９】
本発明に係るプリンタシステム、プリンタ装置およびプリンタ装置用プログラムによれば、文書ファイルとともにその倍率に関する情報をホストからプリンタ装置に送信し、該倍率に関する情報に基づいて画像描画時の拡大率を決定することで、文書ファイルの種類に依存せず、ユーザ所望の画像サイズで印刷することができる。
【図面の簡単な説明】
【００２０】
【図１】本発明の実施形態に係るプリンタシステムの全体構成を示すブロック図である。
【図２】携帯端末から送信されたＰＤＦファイルおよび実効表示倍率に関する情報を示す図である。
【図３】文書ファイルの実効表示倍率に関する情報から描画時の拡大率を計算するための説明図である。
【図４】図１において画像処理ＬＳＩにより実現する機能をソフトウェアで置き換えたときのプリンタシステムの全体構成を示すブロック図である。
【図５】本実施形態に係るプリンタ装置による画像印刷の手順を示すフローチャートである。
【図６】用紙の大きさに対する、文書ファイルの画像サイズの大きさのイメージ（Ａ）、画像描画時の拡大のイメージ（Ｂ）、画像描画後の画像のイメージ（Ｃ）を示す図である。
【発明を実施するための形態】
【００２１】
以下、図面を参照して、本発明の実施形態に係るプリンタシステム、プリンタ装置およびプリンタ装置用プログラムについて詳細に説明する。
【００２２】
図１は、本発明の実施形態に係るプリンタシステムの全体構成を示すブロック図である。図１に示すように、本実施形態に係るプリンタシステムは、携帯端末（ホスト）１００と、プリンタコントローラ１０と、エンジン１６０を有する。
【００２３】
プリンタコントローラ１０は、携帯端末１００と無線で接続され、携帯端末１００から送信される文書ファイル（例えば、ＰＤＦ、ＴＩＦＦ、ＸＨＴＭＬ）は、プリンタコントローラ１０により受信される。ここで、携帯端末１００からは、文書ファイルとともに、文書ファイルの画像を携帯端末１００の表示部に表示させたときの実効表示倍率に関する情報が送信され、プリンタコントローラ１０は、該実効表示倍率に関する情報を受信する。
【００２４】
プリンタコントローラ１０は、実効表示倍率に関する情報に基づいて文書ファイルの画像サイズに対する拡大率を計算し、計算した拡大率で文書ファイルの画像を描画する（ラスタライズ処理）。そして、描画されたデータに基づいてビデオ信号が生成され、エンジン１６０に送信される。
【００２５】
実効表示倍率に関する情報には、携帯端末１００の表示部のサイズ（ホストの表示部に関する情報）と、文書ファイルの画像全体を表示部に表示させた状態（第１状態）から、画像を所望の大きさで表示部に表示させた状態（第２状態）にするための相対拡大率（画像の表示倍率の情報）とが含まれる。したがって、実効表示倍率に関する情報に基づいて計算した拡大率で文書ファイルの画像を描画することで、ユーザが携帯端末１００の表示部で表示していたサイズと同じサイズで画像を印刷することができる。また、画像の描画の段階で画像を拡大するため、文書ファイルの種類により制限を受けることなく、画像を所望のサイズで印刷することができる。
【００２６】
プリンタコントローラ１０は、入出力装置１１０と、ＣＰＵ（Ｃｅｎｔｒａｌ  Ｐｒｏｃｅｓｓｉｎｇ  Ｕｎｉｔ）１２０と、ＲＡＭ（Ｒａｎｄｏｍ  Ａｃｃｅｓｓ  Ｍｅｍｏｒｙ）１３０と、ＲＯＭ（Ｒｅａｄ  Ｏｎｌｙ  Ｍｅｍｏｒｙ）１４０と、画像処理ＬＳＩ（Ｌａｒｇｅ  Ｓｃａｌｅ  Ｉｎｔｅｇｒａｔｉｏｎ）１５０と、を有してなる。
【００２７】
入出力装置１１０は、外部の携帯端末１００と双方向に情報の送受信を行なうためのインタフェースである。
【００２８】
ＣＰＵ１２０は、プログラムにしたがって、プリンタコントローラ１０の構成要素を制御し、また、各種の演算処理を行なう。
【００２９】
ＲＡＭ１３０は、揮発性の記憶装置であり、作業領域として一時的にプログラムやデータを記憶する。
【００３０】
ＲＯＭ１４０は、不揮発性の記憶装置であり、あらかじめ各種プログラムやデータを記憶する。
【００３１】
画像処理ＬＳＩ１５０は、文書ファイルを解析し、実効表示倍率に関する情報に基づいて拡大率を計算し、計算した拡大率で文書ファイルの画像を描画し、エンジン１６０に送信する。画像処理ＬＳＩは、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ  Ｐｒｏｇｒａｍｍａｂｌｅ  Ｇａｔｅ  Ａｒｒａｙ）により構成してもよい。
【００３２】
画像処理ＬＳＩ１５０は、解析部１５１と、画像サイズ制御部１５２と、描画部１５３と、印刷制御部１５４と、印刷部１５５と、ビデオインタフェース部１５６と、を有してなる。図１には、これらの構成要素間のデータの送信方向を矢印で示した。
【００３３】
解析部１５１は、文書ファイルを解析し、文書ファイルに含まれる画像サイズコマンドから画像サイズを計算する。また、文書ファイルを描画部１５３へ送信する。
【００３４】
画像サイズ制御部１５２は、携帯端末１００が送信した実効表示倍率に関する情報に含まれる情報（すなわち、携帯端末１００の表示部のサイズと表示倍率）から、画像サイズに対する拡大率を計算し、描画部１５３へ送信する。
【００３５】
描画部１５３は、画像サイズ制御部１５２が計算した拡大率で文書ファイルの画像を拡大して描画し、描画データ（ビットマップデータ）を印刷制御部１５４に送信する。描画された画像のサイズは、ユーザが携帯端末の表示部で表示させた画像のサイズと同じとなる。
【００３６】
印刷制御部１５４は、データ描画部１５３から受信した描画データを印刷部１５５へ送信するタイミングを制御する。また、エンジン１６０を制御することで、印刷用紙の紙送りのタイミングを制御する。
【００３７】
印刷部１５５は、印刷制御部１５４から受信した描画データに基づいてビデオ信号を生成し、ビデオインタフェース部１５６を介してエンジン１６０に送信する。
【００３８】
ビデオインタフェース部１５６は、エンジン１６０と通信するための専用インタフェースであり、ビデオ信号を、順次、エンジン１６０へ転送する。
【００３９】
プリンタコントローラ１０と、エンジン１６０とは、本実施形態に係るプリンタ装置の構成要素である。
【００４０】
以下、画像処理ＬＳＩ１５０の解析部１５１、画像サイズ制御部１５２、描画部１５３、についてさらに詳細に説明する。
【００４１】
図２は、携帯端末１００から送信されたＰＤＦファイル（文書ファイル）および実効表示倍率に関する情報を示す図である。
【００４２】
解析部１５１は、文書ファイルのデータ形式を解析し、文書ファイルに含まれる画像サイズコマンド２００から文書ファイルの画像サイズを計算する。図２の例では、画像サイズは２９９ポイント×３５９ポイントであり、１７２ポイントが１ｉｎｃｈであるので、画像サイズは、１０．５ｃｍ×１２．６ｃｍと計算できる。
【００４３】
図３は、文書ファイルの実効表示倍率に関する情報から描画時の拡大率を計算するための説明図である。図２および図３のＡに示すように、実効表示倍率に関する情報には、携帯端末１００の表示部のサイズの情報２１０と、画像を表示部に表示させたときの表示倍率の情報２２０と、を含む。携帯端末１００の表示部のサイズは、表示解像度と、表示部ドットサイズとから定まる。表示倍率の情報には、画像全体を携帯端末１００の表示部に表示させた状態（第１状態）から、画像をユーザが所望の大きさで表示部に表示させた状態（第２状態）にするための相対拡大率を含む。
【００４４】
画像サイズ制御部１５２は、携帯端末１００の表示部のサイズと、相対拡大率と、から、画像描画時における画像サイズに対する拡大率を計算する。図２の例では、表示部のサイズの情報２１０と表示倍率の情報２２０とから、表示解像度が２００ｄｐｉ、表示部のドットサイズが４８０ｄｏｔ×３２０ｄｏｔ、相対拡大率が８００％である。すなわち、表示部のサイズは、表示解像度と表示部のドットサイズとから、６．１ｃｍ×４．１ｃｍであり、相対拡大率は８００％である。表示部のサイズが６．１ｃｍ×４．１ｃｍであることから、画像サイズが１０．５ｃｍ×１２．６ｃｍの画像全体を携帯端末１００の表示部に表示させた状態における表示倍率（第１表示倍率）は、４．１ｃｍを１２．６ｃｍで除した値、すなわち、０．３２倍となる（図３のＢ）。ユーザは、表示倍率が０．３２倍の状態から相対拡大率８００％だけ拡大して表示部に画像を表示している。そうすると、画像をユーザが所望の大きさで表示部に表示させた状態における表示倍率（第２表示倍率）は、０．３２倍に８００％を乗じて２．５６倍となる（図３のＣ）。したがって、拡大率を２．５６倍として画像を描画することで、描画された画像のサイズは、ユーザが携帯端末の表示部で表示させた画像のサイズと同じサイズとなる。このサイズは、ユーザが携帯端末の表示部で表示させた画像のサイズであることから、印刷物においてユーザが所望する画像のサイズと考えることができる。
【００４５】
ここで、図１においては、解析部１５１、画像サイズ制御部１５２、描画部１５３、印刷制御部１５４、印刷部１５５が有する各機能をハードウェア（すなわち、画像処理ＬＳＩ）で実現しているが、本実施形態はこれに限定されない。すなわち、図１において画像処理ＬＳＩで実現する機能をソフトウェアにより実現してもよい。
【００４６】
図４は、図１において画像処理ＬＳＩにより実現する機能をソフトウェアで置き換えたときのプリンタシステムの全体構成を示すブロック図である。
【００４７】
図４に示すように、解析部１５１、画像サイズ制御部１５２、描画部１５３、印刷制御部１５４、印刷部１５５が有する各機能を、ＲＯＭ１４０に記憶させたプログラムにより実現することができる。
【００４８】
図５は、本実施形態に係るプリンタ装置による画像印刷の手順を示すフローチャートである。以下、ステップ番号を明示して、本実施形態に係るプリンタ装置による画像印刷の手順について説明する。
【００４９】
携帯端末１００から文書ファイル、携帯端末１００の表示部のサイズ、表示部への相対拡大率を受信する（Ｓ５００、手順（ａ））。
【００５０】
文書ファイル、携帯端末１００の表示部のサイズ、表示部への相対拡大率が受信されると、解析部１５１は、文書ファイルの画像サイズ指定コマンドを解析し、画像サイズを計算する（Ｓ５１０、手順（ｂ））。
【００５１】
図６は、用紙の大きさに対する、文書ファイルの画像サイズの大きさのイメージ（Ａ）、画像描画時の拡大のイメージ（Ｂ）、画像描画後の画像のイメージ（Ｃ）を示す図である。ステップＳ５１０では、図６のＡの点線で示す画像サイズを計算する。
【００５２】
次に、画像サイズ制御部１５２で、表示部のサイズと、解析部１５１が計算した画像サイズと、から第１表示倍率を計算し（Ｓ５２０、手順（ｂ））、第１表示倍率と、相対拡大率とから第２表示倍率を計算する（Ｓ５３０、手順（ｂ））。
【００５３】
そして、描画部１５３は、画像サイズ制御部１５２が計算した第２表示倍率を拡大率として決定し、該拡大率で画像を描画する（Ｓ５４０、手順（ｃ））。図６のＢに矢印で示すように、文書ファイルの画像サイズに対し、拡大率を乗じて拡大することで、図６のＣに示すようなユーザ所望の大きさで画像を描画することができる。
【００５４】
その後、描画された画像は、エンジンに送信され、用紙に印刷される（手順（ｄ））。
【００５５】
このように、本実施形態に係るプリンタシステム、プリンタ装置およびプリンタ装置用プログラムによれば、文書ファイルとともにその実効表示倍率に関する情報をホストからプリンタ装置に送信し、該実効表示倍率に関する情報に基づいて画像描画時の拡大率を決定することで、文書ファイルの種類に依存せず、ユーザ所望の画像サイズで印刷することができるという効果を奏する。
【００５６】
以上、本願発明を実施形態に基づき説明してきたが、本発明の範囲は本実施形態に限定されるものではない。
【００５７】
例えば、本実施形態では、ホストとして携帯端末を例として説明しているが、ホストはＰＣであってもよく、また、ホストとプリンタ装置は有線で双方向通信可能に接続されてもよい。
【００５８】
また、本実施形態では、文書ファイルをＰＤＦとしているが、ＪＰＥＧ、ＴＩＦＦ、ＸＨＴＭＬであってもよい。
【００５９】
また、本実施形態では、相対拡大率を、画像全体を携帯端末の表示部に表示させた第１状態から、画像を所望の大きさで表示部に表示させた第２状態にするための拡大率としている。しかし、相対拡大率を定義する該第１状態は、画像全体を携帯端末の表示部に表示させた状態に限られず、例えば、画像の５０％が携帯端末の表示部に収まるように表示させた状態であってもよい。
【符号の説明】
【００６０】
１０    プリンタコントローラ、
１００    ホスト、
１１０    入出力装置、
１２０    ＣＰＵ、
１３０    ＲＡＭ、
１４０    ＲＯＭ、
１５０    画像処理ＬＳＩ、
１５１    解析部、
１５２    画像サイズ制御部、
１５３    描画部、
１５４    印刷制御部、
１５５    印刷部、
１５６    ビデオインタフェース、
１６０    エンジン。
【図１】
2011022859.tif 000003
【図２】
2011022859.tif 000004
【図４】
2011022859.tif 000005
【図５】
2011022859.tif 000006
【図３】
2011022859.tif 000007
【図６】
2011022859.tif 000008